(57)【要約】      （修正有）【課題】大形で重量も嵩ることによって、装置に適用する接合金具の取扱い上の不都合さもなく、しかも、耐久的な組合せ梁の接合装置を提供する。【解決手段】取付け部片３ａの縦方向に沿う両端に接続部片３ｂ，３ｂを相対して連設して接合金具３を構成する。一対のこの接合金具３，３を柱１の側面に組合せ梁２の上下の構成材２Ａ，２Ｂに対応するように並べて配して前記取付け部片３ａにおいて止着する。また、前記組合せ梁２の端面に縦設した係合溝８と該係合溝８の奥端に設けたスリット１０に係合して、一対の接合板４，４を前記組合せ梁２にそれぞれ前記上下の構成材２Ａ，２Ｂにわたすように配して前記組合せ梁２内において相対して止着する。そして、この接合板４，４と該接合板４，４間に係合した、接合金具３の前記接続部片３ｂを、前記組合せ梁２の外部から嵌挿した接合杆２１で互いに止着する。【選択図】図１
2005248437.tif 000002
【特許請求の範囲】
【請求項１】
取付け部片の縦方向に沿う両端に接続部片を相対して連設して接合金具を構成し、一対の該接合金具を柱又は横架材の側面に組合せ梁の上下の構成材に対応するように並べて配して前記取付け部片において止着する一方、一対の接合板を前記組合せ梁に組合せ梁の端面に縦設した係合溝に係合して、それぞれ前記上下の構成材にわたすように配して前記組合せ梁内において相対して止着し、この接合板と該接合板間に係合した、接合金具の前記接続部片を、前記組合せ梁の外部から嵌挿した接合杆で互いに止着した、組合せ梁の接合装置。
【発明の詳細な説明】
【技術分野】
【０００１】
本発明は、木造建物に用いる組合せ梁の接合装置に関するものである。
【背景技術】
【０００２】
木造建物に用いる木製の梁は、耐力を得る関係から建物構造によって概し、縦幅（所謂、梁成）を大きくする必要があるが、近年、素材資源の関係から細い梁材を上下に重ね合わせて互いに接合して必要耐力を得るようにした所謂組合せ梁が用いられるようになっている。
【０００３】
この組合せ梁の接合装置としては、柱の側面に設けた受止穴に接合金具のプレート状の本体板の基端に突設した掛止材を嵌合掛止して組付けて前記本体板を柱側面より突出させ、この本体板に横架材の端部を端面に設けたスリットを係合させて組合わせるようにして前記スリットを通じて横架材の端部に予め横設した掛止杆を前記本体板に掛止して仮接合した後、横架材を通じて本体板に接合杆を嵌挿して接合するようにした構造のもの（例えば、特許文献１参照）を適用することが考えられる。
【０００４】
【特許文献１】特開平５−２９５７９９号公報（第３頁、図１および図２）
【発明の開示】
【発明が解決しようとする課題】
【０００５】
前記従来例は、接合金具を横架材（組合せ梁に対応）の径（縦幅）に対応する大きさにして用いるようになっているため、比較的細い（標準的な）径の梁を重ね合せて接合して比較的太い径とした組合せ梁に当該構造の接合金具を用いる場合に該組合せ梁に対応する大きさの接合金具を用意する必要がある。
【０００６】
すなわち、従来の梁の接合装置は、標準的な大きさ（径）の梁の、柱又は横架材に対する接合を考慮したもので、該標準的な大きさ（径）の梁材を接合して得た大きさの、所謂組合せ梁の接合に特別に対処した構造のものはなく、接合金具を取扱い上不都合な大形にするとするのが精々であった。
【０００７】
本発明は、大形で重量も嵩ることによって、適用する接合金具の取扱い上の不都合さもなく、しかも、耐久的な組合せ梁の接合装置を提供すべく創案したものである。
【課題を解決するための手段】
【０００８】
取付け部片の縦方向に沿う両端に接続部片を相対して連設して接合金具を構成し、一対の該接合金具を柱又は横架材の側面に組合せ梁の上下の構成材に対応するように並べて配して前記取付け部片において止着する一方、組合せ梁の端面に縦設した係合溝に係合して一対の接合板を前記組合せ梁にそれぞれ前記上下の構成材にわたすように配して前記組合せ梁内において相対して止着し、この接合板と該接合板間に係合した、接合金具の前記接続部片を、前記組合せ梁の外部から嵌挿した接合杆で互いに止着した構成とする。
【発明の効果】
【０００９】
本発明によれば、互いに接合して組合せ梁を構成する上下の構成材それぞれを独立させて柱又は横架材に接合金具を用いて接合する構成を採るので、構成材間の接合部分に負荷される荷重の集中を可及的に低減でき、また、接合板が上下の構成材の接合の補強効果を期待できるものであるから、組合せ梁の接合装置として耐久的な装置を提供でき、特別に大形な接合金具を用意する必要もないので経済的でもある。
【実施例】
【００１０】
図面は本発明に係る組合せ梁の接合装置の一実施例を示し、図１は縦断面図、図２は図２のｘ−ｘ線断面図、図３は一部の分解斜視図、図４は他の実施例の組合せ梁の一部分解斜視図である。
【００１１】
図示のものは、柱１に組合せ梁２を接合金具３と接合板（鋼板製）４を用いて接合するようにしたものであるが、柱１に代えて他の梁等の横架材の側面に該組合せ梁２を接合するものであっても良い。
【００１２】
組合せ梁２は、標準タイプの梁材（横幅×高さ幅：１０５ｍｍ×２４０ｍｍ）で構成した上下の構成材２Ａ，２Ｂの接合面（上構成材２Ａにあっては下面、下構成材２Ｂにあっては上面）の長手方向に沿う適所に接続穴１１を設け、該接続穴１１に一半を係合して接続筒９を上下の構成材２Ａ，２Ｂ間に介在させ、接続筒９に各構成材２Ａ，２Ｂに対応させて設けた透孔５とこれに一致するようにして、上下の構成材２Ａ，２Ｂ側に設けた通し孔６に接続杆７を嵌挿、打込んで、前記一対の構成材２Ａ，２Ｂを上下方向に重ね合わせて互いに接合して構成し、端面に縦設した係合溝８と該係合溝８の奥端両側に連通したスリット１０，１０を備えたものである。
【００１３】
なお、上下の構成材２Ａ，２Ｂは、前記接続穴１１とこれに連通する通し孔６を設けると共に、前記係合溝８とこれに連通するスリット１０の上下方向の一半を構成する係合溝構成部８´とスリット構成部１０´を設け、しかも、端部側面には、前記係合溝構成部８´（係合溝８）に連通する、上、中、下の接合孔１２，１２，１２と前記スリット構成部１０´（スリット１０）に連通する上下一対の止着孔１８，１８を、接合孔１２を端面側にして上下方向に並設して構成したもので、組合せ梁２を構成するための手段としては、前記の接続杆７とこれを嵌合する接続穴１１を用いる、所謂ピン接合手段の外に、例えば、接合面同士を接着する接着手段或いは該接着手段を前記ピン接合手段と併用する場合等々考えられるが、いずれにしても、上下の構成材２Ａ，２Ｂを接合して組合せ梁２を得れば良いのであるから、該接合手段は自由に選択すれば良く、例えば、図４で示すように、上下の構成材２Ａ，２Ｂの適所に縦孔１１Ａを設け、互いに一致させた、上下の構成材２Ａ，２Ｂの該縦孔１１Ａ，１１Ａに接続螺杆９Ａ（ボルトでも良い）を貫通させ、該螺杆９Ａに接続ナット９Ｂを螺合締付けて組合せ梁２とする手段もある。
【００１４】
前記柱１の側面の所要個所には、組合せ梁２を構成する前記上下の構成材２ａ，２ｂにそれぞれ対応するよう一対の前記接合金具３，３を上下に並べて突設してある。
【００１５】
接合金具３は、取付部片３ａの縦方向に沿う両端に接続部片３ｂ，３ｂを相対して連設し、接続部片３ｂの上端に、組合せ梁２の上下の構成材２Ａ，２Ｂに設けた上接合孔１２に対応する位置にして半円状切欠１３Ａを設け、中間部には前記半円状切欠１３Ａの直下にして上下に並び、しかも、前記上下の構成材２Ａ，２Ｂに設けた中接合孔１２と下接合孔１２に対応する位置にして上下一対の組付け孔１３Ｂ，１３Ｂを設けたもので、取付部片３ａに設けた取付け孔１４を利用して前記柱１に設けた通し孔１５に貫通させたボルト１６とこれに螺合したナット１７によって取付部片３ａにおいて柱１に締付け、前記の通りに柱１の側面に配したものである。
【００１６】
上下の構成材２Ａ，２Ｂを前記ピン接合手段で接合して構成した組合せ梁２の端面に設けた前記係合溝８には一対の接合板４，４を相対して係合して止着し、接合板４は、組合せ梁２に設けた前記接合孔１２と止着孔１８と対応する位置にして透孔１９，１９´を設け、後端側の一群の透孔１９´，１９´，１９´，１９´を組合せ梁２側の止着孔１８，１８，１８，１８に一致するように前記スリット１０に嵌挿し、止着孔１８側から止着杆２０をこれら孔１８，１９´に嵌挿、打込んで止着し，組合せ梁２内において相対して配設したものである。
【００１７】
そして、係合溝８内に相対して配設したこの接合板４，４間に柱１の側面に前記の通りに突設した一対の前記接合金具３，３の接続部片３ｂ，３ｂを介在させて接合板４の先端側の一群の透孔１９，…とこれに一致させた組合せ梁２側の一群の接合孔１２，…およびこれらに一致させた、接合金具３の接続部片３ｂに設けた半円状切欠１３Ａ又は組付け１３Ｂに接合杆２１を嵌挿、打込んで、組合せ梁２を柱１に接合した実施例装置としたものである。
【００１８】
因みに、実施例の場合は、組合せ梁２に、該梁２の構成材２Ａ，２Ｂ間にわたすようにして前記の通り、一対の接合板４，４を止着杆２０で前記の通り止着する一方、接合板４，４を組合せ梁２に組付けた状態における最上位の接合孔（説明の便宜上、符号１２Ａで示す）と、これに一致する接合板４側の最上位の透孔（説明の便宜上、符号１９Ａで示す）に、接合杆（同じく便宜上２１Ａで示す）を嵌挿して組付けておき、該接合杆２１Ａを組付けた組合せ梁２（の端面）を柱１の側面に沿って降下させ、柱１側に前記の通り突設した上下一対の接合金具３，３の上位側の接合金具３の接続部片３ｂ，３ｂの上端に設けた半円上切欠１３Ａに、前記接合杆２１Ａを掛止させて組合せ梁２を柱１に仮止めした後、接合孔１２から透孔１９および組付け孔１３Ｂ（又は下方側の接合金具３の半円状切欠１３Ａ）を通じて接合杆２１を打込み嵌挿する作業順を経て実施例装置としたもので、組合せ梁２を柱１に対する仮止め状態を得ることにより、接合杆２１の打込み操作を円滑に行うことができるのである。
【図面の簡単な説明】
【００１９】
【図１】縦断面図。
【図２】図２のｘ−ｘ線断面図。
【図３】一部の分解斜視図。
【図４】他の実施例の組合せ梁の一部分解斜視図
【符号の説明】
【００２０】
１      柱
２      組合せ梁
２Ａ    上構成材
２Ｂ    下構成材
３      接合金具
３ａ    取付け部片
３ｂ    接続部片
４      接合板
８      係合溝
１０    スリット
２１    接合杆
【図１】
2005248437.tif 000003
【図２】
2005248437.tif 000004
【図３】
2005248437.tif 000005
【図４】
2005248437.tif 000006